【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
少なくとも１つの音送信器によって生成され、容器内のエアレーションされた流体の中を進み、且つ前記容器内に配置されることを含むように前記容器に関して配置される少なくとも１つの音受信器によって受信される音信号についての情報を含む信号を受信し、
且つ、
前記容器内の前記エアレーションされた流体の中を進む前記音信号の音測定の速度に少なくとも部分的に基づいて、前記エアレーションされた流体のガス体積分率を決定するように構成された信号処理部を備える装置。
【請求項２】
前記信号処理部は、前記少なくとも１つの音送信器及び前記少なくとも１つの音受信器の間の既知の離間距離に少なくとも部分的に基づいて、前記音測定の速度を決定するように構成される請求項１に記載の装置。
【請求項３】
前記信号処理部は、前記容器に対して同じ高さに配置される、前記少なくとも１つの音送信器のプローブ及び前記少なくとも１つの音受信器のプローブに少なくとも部分的に基づいて、前記音測定の速度を決定するように構成される請求項２に記載の装置。
【請求項４】
前記信号処理部は、前記少なくとも１つの音送信器が適切な周波数範囲にある周波数で前記音信号を放射して混入した空気が前記エアレーションされた流体内の音の速度を変化させることに少なくとも部分的に基づいて、前記音測定の速度を決定するように構成される請求項１に記載の装置。
【請求項５】
前記信号処理部は、前記容器内に配置される２つの音受信器によって受信される前記音信号についての情報を含む信号を受信するように構成される請求項１に記載の装置。
【請求項６】
前記信号処理部は、前記２つの音受信器間の距離を知ることに少なくとも部分的に基づいて、前記音測定の速度を決定するように構成される請求項５に記載の装置。
【請求項７】
前記信号処理部は、パルスの生成及び検出の間の経過時間を記録するように構成される請求項１に記載の装置。
【請求項８】
前記信号処理部は、前記エアレーションされた流体の前記ガス体積分率についての情報であって、前記容器内の前記エアレーションされた流体への化学添加物を提供するための情報を含んでおり、プロセスを制御するために使用され得る情報を含む出力信号を提供するように構成される請求項１に記載の装置。
【請求項９】
前記プロセスは、選鉱において鉱石の分離を支援するための浮選プロセスであり、発泡剤として知られる化学物質を添加して気泡の性質を高めることによって前記浮選プロセスの効率を制御することを含む請求項８に記載の装置。
【請求項１０】
前記プロセスは、コンクリートを作るための混合プロセスであり、ミキサートラック又は固定されたコンクリートミキサーボックス内でコンクリートを混合することを含む請求項８に記載の装置。
【請求項１１】
前記プロセスは、食べ物プロセスであり、アイスクリームを製造するためのリシンを添加することを含む請求項８に記載の装置。
【請求項１２】
前記プロセスは、化粧品を製造するための化粧品プロセスである請求項８に記載の装置。
【請求項１３】
前記プロセスは、ペンキ又は塗液を製造するための混合プロセスである請求項８に記載の装置。
【請求項１４】
前記信号処理部は、圧電物質を駆動すること又は機械的インパルスによって生成された音信号についての情報を含む信号を受信するように構成される請求項１に記載の装置。
【請求項１５】
前記少なくとも１つの音送信器は、前記容器の外側に配置される請求項１に記載の装置。
【請求項１６】
前記少なくとも１つの音送信器は、前記容器の内側に配置される請求項１に記載の装置。
【請求項１７】
前記少なくとも１つの音送信器は、無指向性である請求項１に記載の装置。
【請求項１８】
前記容器は、浮選カラム又はタンクである請求項１に記載の装置。
【請求項１９】
前記出力信号を受信し、且つ前記化学添加物を前記容器に添加して、閉ループシステムにおいて前記エアレーションされた流体に関する前記プロセスを制御するように構成された装置を備える請求項８に記載の装置。
【請求項２０】
前記プロセスは、コンクリートを作るための混合プロセスであり、可動のコンクリートトラック又は固定されたコンクリートミキサーボックス内でコンクリートを混合することを含む請求項８に記載の装置。
【請求項２１】
前記少なくとも１つの音送信器及び前記少なくとも１つの音受信器は、小さな距離だけ離れたプロジェクタ／レシーバ対の形をとり、ミキサートラックのドラム検査ハッチに取り付けられる請求項１に記載の装置。
【請求項２２】
前記プロジェクタ／レシーバ対が前記ドラム検査ハッチを通って、前記ミキサートラックの混合ドラムのキャビティの内部に取り付けられる請求項２１に記載の装置。
【請求項２３】
前記ドラム検査ハッチはキャビティを形成するように構成されており、前記プロジェクタ／レシーバ対は、前記キャビティ内に取り付けられて、ミキサードラム内のコンクリートに露出する請求項２１に記載の装置。
【請求項２４】
前記ミキサートラック上にローカルディスプレイ及び／又は通信モジュールを有しており、コンクリートの空気量の値についての情報を含む無線信号を提供するように構成された無線送信器を備える請求項２１に記載の装置。
【請求項２５】
前記少なくとも１つの音送信器及び前記少なくとも１つの音受信器は、小さな距離だけ離れたプロジェクタ／レシーバ対の形をとり、コンクリートを注ぐために用いられるシュート上に取り付けられて、注がれるコンクリートを連続して測定する請求項１に記載の装置。
【請求項２６】
前記信号処理部は、前記少なくとも１つの音送信器によって生成された前記音信号であって、前記容器内の前記エアレーションされた流体の中を通って進み、前記音受信器のアレイによって受信される前記音信号についての情報を含む信号を受信するように構成される請求項１に記載の装置。
【請求項２７】
前記信号処理部は、各測定点におけるマルチパスの問い合わせに少なくとも部分的に基づいて、前記エアレーションされた流体の前記ガス体積分率を決定するように構成されており、各音受信器は、各音送信器からの信号それぞれを検出するために用いられ得る請求項２６に記載の装置。
【請求項２８】
前記信号処理部は、前記音送信器のアレイによって生成された前記音信号であって、前記容器内の前記エアレーションされた流体の中を通って進み、前記音受信器のアレイによって受信される前記音信号についての情報を含む信号を受信するように構成される請求項１に記載の装置。
【請求項２９】
前記信号処理部は、各測定点におけるマルチパスの問い合わせに少なくとも部分的に基づいて、前記エアレーションされた流体の前記ガス体積分率を決定するように構成されており、各音受信器は、各音送信器からの信号それぞれを検出するために用いられる請求項２８に記載の装置。
【請求項３０】
前記信号処理部は、前記音送信器のアレイであって、各音送信器は各チャネルが独立して解析されることを許容するように、異なる周波数、一部のスペクトル、チャープ／変調特性を用いて選択的にエンコードされている前記音送信器のアレイによって生成された前記音信号についての情報を含む信号を受信するように構成されており、前記音信号は前記容器内の前記エアレーションされた流体の中を通って進み、前記音受信器のアレイによって受信される請求項２８に記載の装置。
【請求項３１】
前記信号処理部は、前記音送信器のアレイであって、擬ノイズ源により電圧が供給され、遅延相関技術が用いられて送信器から受信器への各経路に対する伝達時間を検出する前記音送信器のアレイによって生成された前記音信号についての情報を含む信号を受信するように構成されており、前記音信号は前記容器内の前記エアレーションされた流体の中を通って進み、前記音受信器のアレイによって受信される請求項２８に記載の装置。
【請求項３２】
前記容器の外側に配置された前記少なくとも１つの音送信器は、前記容器の壁の中を通して動作する請求項１に記載の装置。
【請求項３３】
前記少なくとも１つの音送信器は、前記エアレーションされた流体との接触を許容する前記壁の中のポート内に挿入される請求項３２に記載の装置。
【請求項３４】
前記少なくとも１つの音送信器は、音の信号を前記エアレーションされた流体の中に伝達するのに向いていて、圧力又は機械的／電気的励起によることを含んでいるダイアフラムを駆動することによって、低い周波数の音を生成するように構成される請求項３３に記載の装置。
【請求項３５】
更に、内部に前記エアレーションされた流体を有する前記容器に関して配置され、前記エアレーションされた流体の中を進む前記音信号を生成するように構成される前記少なくとも１つの音送信器を備える請求項１に記載の装置。
【請求項３６】
更に、前記容器内に配置され、前記少なくとも１つの音送信器によって生成された前記音信号を受信し且つ前記音信号についての情報を含んでいる前記信号を提供するように構成された前記少なくとも１つの音受信器を備える請求項１に記載の装置。
【請求項３７】
少なくとも１つの音送信器によって生成され、容器内のエアレーションされた流体の中を進み、且つ前記容器内に配置されることを含むように前記容器に関して配置される少なくとも１つの音受信器によって受信される音信号についての情報を含む信号を受信することと、
前記容器内の前記エアレーションされた流体の中を進む前記音信号の音測定の速度に少なくとも部分的に基づいて、前記エアレーションされた流体のガス体積分率を決定すること、
を備える方法。
【請求項３８】
前記エアレーションされた流体の前記ガス体積分率についての情報であって、前記容器内の前記エアレーションされた流体への化学添加物を提供するための情報を含んでおり、プロセスを制御するために使用され得る情報を含む出力信号を提供すること、
を備える請求項３７に記載の方法。
【請求項３９】
少なくとも１つの音送信器によって生成され、容器内のエアレーションされた流体の中を進み、且つ前記容器内に配置されることを含むように前記容器に関して配置される少なくとも１つの音受信器によって受信される音信号についての情報を含む信号を受信する手段と、
前記容器内の前記エアレーションされた流体の中を進む前記音信号の音測定の速度に少なくとも部分的に基づいて、前記エアレーションされた流体のガス体積分率を決定する手段と、
を備える装置。